(57)【要約】【課題】シートカバーの伸張性を、違和感を極力生じさせることなく部分的に変更することにある。【解決手段】面方向に伸びやすい高伸張部１０Ｄと、高伸張部１０Ｄに比して伸びにくい低伸張部２０Ｄと、高伸張部１０Ｄと低伸張部２０Ｄの間に設けられている境界部４０Ｄとを備え、境界部４０Ｄが、意匠面の面方向に連続的又は断続的に延設されている乗物用シートのシートカバー４Ｓにおいて、境界部４０Ｄに、境界部４０Ｄの延設方向において高伸張部（突出高伸張部１１Ｄ〜１４Ｄ）と低伸張部（突出低伸張部２１Ｄ〜２４Ｄ）が交互に配置されている。【選択図】図５
2017206089.tif 000002
【特許請求の範囲】
【請求項１】
乗物用シートの意匠面を構成するとともに、面方向に伸びやすい高伸張部と、前記高伸張部に比して伸びにくい低伸張部と、前記高伸張部と前記低伸張部の間に設けられている境界部とを備え、前記境界部が、前記意匠面の面方向に連続的又は断続的に延設されている乗物用シートのシートカバーにおいて、
前記境界部に、前記境界部の延設方向において前記高伸張部と前記低伸張部が交互に配置されている乗物用シートのシートカバー。
【請求項２】
前記境界部では、前記境界部の延設方向において、前記高伸張部と前記低伸張部のいずれか一方が、前記一方とは異なる前記高伸張部と前記低伸張部のいずれか他方の両隣に配置されている請求項１に記載の乗物用シートのシートカバー。
【請求項３】
前記境界部に設けられた前記高伸張部が、前記境界部に隣接する前記低伸張部に近づくにつれて次第に狭小とされ、前記境界部に設けられた前記低伸張部が、前記境界部に隣接する前記高伸張部に近づくにつれて次第に狭小とされている請求項１又は２に記載の乗物用シートのシートカバー。
【請求項４】
前記シートカバーの少なくとも一部が、前記高伸張部と前記低伸張部と前記境界部が形成された一枚物の面材で構成されている請求項１〜３のいずれか一項に記載の乗物用シートのシートカバー。
【請求項５】
前記面材が編物である請求項４に記載の乗物用シートのシートカバー。
【発明の詳細な説明】
【技術分野】
【０００１】
本発明は、シートの意匠面を構成するとともに伸張性が部分的に異なる乗物用シートのシートカバーに関する。
【背景技術】
【０００２】
この種の乗物用シートでは、シート性能向上の観点から、シートカバーの伸び特性を部分的に異ならせたいとの要請がある。例えば乗員に接するシートカバー部分を伸びやすくすることで、乗員に対するフィット感を向上させることができる。またシートカバーの側部を伸びにくくすることにより、カーブ走行時における乗員に対する支持性能が向上する。例えば特許文献１に開示の乗物用シートでは、シート外形をなして乗員を弾性的に支持するシートパッドと、シートパッドを被覆する織物又は編物製のシートカバーを有する。そこでシートカバーに、糸材が密に配置された第一部位と、糸材が疎に配置されて第一部位に比して伸びやすい第二部位を形成する。このように公知技術では、シートカバーをなす糸材が粗密に適宜配置されることで、シートカバーを、部分的に伸びやすくしたり伸びにくくしたりすることができる。
【先行技術文献】
【特許文献】
【０００３】
【特許文献１】特開２０１５−２８３０号公報
【発明の概要】
【発明が解決しようとする課題】
【０００４】
ところで公知技術の構成は、伸びにくい第一部位と、伸びやすい第二部位が隣接して配置されている。このためシートカバーの伸張性が両部の境目で明確に違ってしまうことから、乗員が違和感（折れ感など）を覚えるなどしてシート性能が悪化するおそれがある。本発明は上述の点に鑑みて創案されたものであり、本発明が解決しようとする課題は、シートカバーの伸張性を、違和感を極力生じさせることなく部分的に変更することにある。
【課題を解決するための手段】
【０００５】
上記課題を解決するための手段として、第１発明の乗物用シートのシートカバーは、乗物用シートの意匠面を構成するとともに、面方向に伸びやすい高伸張部と、高伸張部に比して伸びにくい低伸張部と、高伸張部と低伸張部の間に設けられている境界部とを備え、境界部が、意匠面の面方向に連続的又は断続的に延設されている。この種の構成においては、シートカバーの伸張性を、違和感を極力生じさせることなく部分的に変更できることが望ましい。そこで本発明では、境界部に、境界部の延設方向において高伸張部と低伸張部が交互に配置されている。本発明では、高伸張部と低伸張部を境界部に交互に配置して、これら両部の伸張性の違いを曖昧とすることにより、明確な伸張性の違いが原因となる違和感の発生を極力回避することができる。
【０００６】
第２発明の乗物用シートのシートカバーは、第１発明の乗物用シートのシートカバーにおいて、境界部では、境界部の延設方向において、高伸張部と低伸張部のいずれか一方が、一方とは異なる高伸張部と低伸張部のいずれか他方の両隣に配置されている。本発明では、境界部において、高伸張部の両隣に低伸張部が配置されている又は低伸張部の両隣に高伸張部が配置されているため、境界部において明確な伸張性の違いを更に感じにくい構成とされている。
【０００７】
第３発明の乗物用シートのシートカバーは、第１発明又は第２発明の乗物用シートのシートカバーにおいて、境界部に設けられた高伸張部が、境界部に隣接する低伸張部に近づくにつれて次第に狭小とされ、境界部に設けられた低伸張部が、境界部に隣接する高伸張部に近づくにつれて次第に狭小とされている。本発明では、境界部に設けられた各部を適宜の位置で狭小化することにより、隣接する高伸張部及び低伸張部との境である境界部の縁においても伸張性の違いを感じにくい構成とされている。
【０００８】
第４発明の乗物用シートのシートカバーは、第１発明〜第３発明のいずれかの乗物用シートのシートカバーにおいて、シートカバーの少なくとも一部が、高伸張部と低伸張部と境界部が形成された一枚物の面材で構成されている。本発明においては、一枚物の面材で各部が構成されているため、異なる面材で各部が構成されている場合に比して、シートカバーの構成をシンプル化することができる。
【０００９】
第５発明の乗物用シートのシートカバーは、第４発明の乗物用シートのシートカバーにおいて、面材が編物であるため、高伸張部と低伸張部に伸張性の差をより簡便に設けることができる。
【発明の効果】
【００１０】
本発明に係る第１発明によれば、シートカバーの伸張性を、違和感を極力生じさせることなく部分的に変更することができる。また第２発明によれば、シートカバーの伸張性を、違和感をより確実に生じさせることなく部分的に変更することができる。また第３発明によれば、シートカバーの伸張性を、違和感を更に確実に生じさせることなく部分的に変更することができる。また第４発明によれば、比較的シンプルな構成によって、シートカバーの伸張性を、違和感を極力生じさせることなく部分的に変更することができる。そして第５発明によれば、シートカバーの伸張性を、違和感を極力生じさせることなく部分的により簡便に変更することができる。
【図面の簡単な説明】
【００１１】
【図１】乗物用シートの正面図である。
【図２】低伸張部の拡大正面図である。
【図３】高伸張部の拡大正面図である。
【図４】別例にかかる高伸張部の拡大正面図である。
【図５】図１のＶで示す破線で囲ったシートカバー部分の拡大正面図である。
【図６】変形例１にかかるシートカバーの拡大正面図である。
【図７】変形例２にかかるシートカバーの拡大正面図である。
【図８】変形例３にかかるシートカバーの拡大正面図である。
【発明を実施するための形態】
【００１２】
以下、本発明を実施するための形態を、図１〜図８を参照して説明する。各図には、便宜上、乗物用シートの前後方向と上下方向と左右方向を示す矢線を適宜図示することがある。なお図１では、便宜上、境界部にハッチを付けて図示する。また図２〜図４において、各図に示された複数の編目は全て同一ループ長の編目であるが、編目同士の配置関係をわかりやすく図示するため、紙面に図示された特定の編目を太線で示し、その他の編目を細線で示す。
【００１３】
図１の乗物用シート２は、シートクッション４と、シートバック６を有する。これらシート構成部材は、各々、シート骨格をなす図示しないシートフレーム（４Ｆ，６Ｆ）と、乗員を弾性的に支持する図示しないシートパッド（４Ｐ，６Ｐ）と、シートパッドを被覆する後述のシートカバー（４Ｓ，６Ｓ）を有する。ここで各シートフレーム４Ｆ，６Ｆ（図示省略）は、典型的に略矩形又はアーチ状とされた金属製の枠体で構成されている。また各シートパッド４Ｐ，６Ｐ（図示省略）は、シート外形をなす部材であり、ポリウレタンフォーム（密度：１０ｋｇ／ｍ3〜６０ｋｇ／ｍ3）等の発泡樹脂で形成できる。
【００１４】
そしてシートクッション４の後部には、シートバック６の下部が起倒可能に連結されている。またシートバック６の上部にはヘッドレスト８が一体的に設けられており、このヘッドレスト８は、シート幅方向におけるシートバック６の中央が上方に突出することで構成されている。そしてシートバック６とヘッドレスト８の間には、意匠性向上の観点等から一対の孔部Ｈが設けられており、これら一対の孔部Ｈは、シート幅方向に並列して配置されている。
【００１５】
ここでシートクッション４の上面は、天板メイン部４ａと、一対の天板サイド部４ｂに区分けできる。天板メイン部４ａは、シート幅方向におけるシートクッション４の中央部分であり、一般的な体格の乗員に合わせた幅寸法でシート前後方向に延びている。また天板メイン部４ａの左右両側には、それぞれ天板メイン部４ａよりも上方に突出する天板サイド部４ｂが設けられており、これら左右の天板サイド部４ｂによってカーブ走行時などの旋回時に乗員側部を支持できる。
【００１６】
またシートバック６の正面も、天板メイン部６ａと、一対の天板サイド部６ｂに区分けできる。天板メイン部６ａは、シート幅方向におけるシートバック６の中央部分であり、適度な幅寸法でシート前後方向に延びている。また天板メイン部６ａの左右両側には、それぞれ天板メイン部６ａよりも前方に突出する天板サイド部６ｂが設けられており、これら左右の天板サイド部６ｂによってカーブ走行時などの旋回時に乗員側部を支持できる。
【００１７】
［シートカバー］
各シートカバー４Ｓ，６Ｓは、それぞれシートの意匠面を構成する面材であり、複数の表皮ピースを縫合して構成することができ、また一枚物の面材で構成することもできる。ここでシートの意匠面は、シートカバー４Ｓ，６Ｓを対応するシートパッドに被せた状態においてシート外に目視可能に露出する面であり、シートカバー４Ｓ，６Ｓの表面で構成されている。そしてシートクッション４の上面を覆うシートカバー４Ｓ部分は、第一表皮ピースＳＰ１〜第三表皮ピースＳＰ３を縫合することで形成されている。第一表皮ピースＳＰ１は、天板メイン部４ａを覆う表皮ピースであり、後述する一枚物の編物で構成されている。また第二表皮ピースＳＰ２と第三表皮ピースＳＰ３は、左右の天板サイド部４ｂを覆う表皮ピースであり、それぞれ後述する一枚物の編物で構成されている。またシートバック６の正面を覆うシートカバー６Ｓ部分は、後述する一枚物の編物で構成されており、天板メイン部６ａと天板サイド部６ｂに跨って配置されている。なお各シートカバー４Ｓ，６Ｓ中で、図示されていない部分又は符号の付されていない部分は、布帛（織物，編物，不織布）や皮革等の各種面材にて適宜構成することができる。
【００１８】
そして本実施例では、シートの着座性向上の観点等から、各シートカバー４Ｓ，６Ｓの伸び特性を部分的に異ならせている。すなわち後述するように、各シートカバー４Ｓ（６Ｓ）の適宜の位置に、最も伸びやすい高伸張部１０Ｄ（１０Ｕ）と、最も伸びにくい低伸張部２０Ｄ（２０Ｕ）と、適度に伸びやすい中伸張部３０Ｄ（３０Ｕ）を形成する。この種のシート構成では、例えば高伸張部１０Ｄ（１０Ｕ）と低伸張部２０Ｄ（２０Ｕ）との間に設けられた後述の境界部４０Ｄ（４０Ｕ）において、各シートカバー４Ｓ（６Ｓ）の伸張性が明確に違っていると、乗員が違和感を覚えるなどしてシート性能が悪化するおそれがある。そこで本実施例では、後述する構成によって、各シートカバー４Ｓ（６Ｓ）の伸張性を部分的に違和感を極力生じさせることなく変更することとした。以下、シートクッション４のシートカバー４Ｓとシートバック６のシートカバー６Ｓの順にこれらの構成について詳述する。なお各シートカバー４Ｓ，６Ｓの基本的な形成手法は同一であることから、シートカバー４Ｓを一例にその形成手法を説明する。
【００１９】
［シートクッションの高伸張部］
シートクッション４の下部高伸張部１０Ｄは、図１を参照して、シートカバー４Ｓ中で面方向であるシート前後方向に最も伸びやすい部位であり、着座状態の乗員の脚部（例えば脹脛）が当接するシートカバー４Ｓ部分に配置されている。この下部高伸張部１０Ｄは、シート幅方向に長尺とされた略矩形状をなしており、天板メイン部４ａの前部全幅を網羅するとともにその左右端が対応する天板サイド部４ｂにはみ出して配置されている。そして下部高伸張部１０Ｄの前辺は、シートクッション４の前端に沿って形成されている。また下部高伸張部１０Ｄの後辺は、前方に凸の湾曲形状をなしており、シート幅方向における左右から中央に向かうにつれて次第に前方に向けて湾曲している。
【００２０】
［シートクッションの低伸張部］
シートクッション４の下部低伸張部２０Ｄは、シートカバー４Ｓ中でシート前後方向に最も伸張しにくい部位であり、カーブ走行時などの旋回時に乗員側部を支持可能なシートカバー４Ｓ部分に配置されている。この下部低伸張部２０Ｄは、シート前後方向に長尺とされた略矩形状をなしており、左右の天板サイド部４ｂにそれぞれ配置されている。すなわち右側の下部低伸張部２０Ｄが、右側の天板サイド部４ｂにおいて下部高伸張部１０Ｄの右側に隣接して設けられている。また左側の下部低伸張部２０Ｄが、左側の天板サイド部４ｂにおいて下部高伸張部１０Ｄの左側に隣接して設けられている。そしてこれら左右の下部低伸張部２０Ｄは、下部高伸張部１０Ｄを除く各天板サイド部４ｂの内側に配置されており、各天板サイド部４ｂを前後に縦断するように延設されている。
【００２１】
［シートクッションの中伸張部］
シートクッション４には、上述の下部高伸張部１０Ｄと下部低伸張部２０Ｄ以外の部分に下部中伸張部３０Ｄを設けることができる。この下部中伸張部３０Ｄは、下部高伸張部１０Ｄよりも伸張性に劣るとともに下部低伸張部２０Ｄよりも伸張性に優れている部位である。そして本実施例においては、下部中伸張部３０Ｄが、下部高伸張部１０Ｄの後側に隣接して設けられており、着座状態の乗員の臀部が当接するシートカバー４Ｓ部分に配置されている。この下部中伸張部３０Ｄは、シート幅方向に長尺とされた略矩形状をなしており、天板メイン部４ａの後部全幅を網羅している。また下部中伸張部３０Ｄの左右端は、対応する天板サイド部４ｂにはみ出して配置されており、前側の下部高伸張部１０Ｄと後側の下部中伸張部３０Ｄの外側に配置されている。
【００２２】
［表皮ピース（編物）の形成作業］
図２及び図３を参照して、例えば横編機を用いて、各表皮ピースＳＰ１〜ＳＰ３としての編物を形成する。そして編物では、後述する編目のループ長の違いという比較的簡単な構成などによって各部１０Ｄ，２０Ｄ，３０Ｄを連続して形成でき、さらに各部１０Ｄ，２０Ｄ，３０Ｄに明確な伸張性の差を設けることができる。そして一枚物の面材である編物にて各部（１０Ｄ，２０Ｄ，３０Ｄの少なくとも二つ）を構成することで、異なる面材で各部が構成されている場合に比して、各表皮ピースの構成をシンプル化することができる。本実施例においては、第一表皮ピースＳＰ１に、下部高伸張部１０Ｄと下部中伸張部３０Ｄと後述の境界部４０Ｄの一部が形成されている。また第二表皮ピースＳＰ２及び第三表皮ピースＳＰ３には、下部高伸張部１０Ｄと下部低伸張部２０Ｄと下部中伸張部３０Ｄと後述の境界部４０Ｄの一部が形成されている。
【００２３】
ここで編物は、経編又は緯編のいずれであってもよい。緯編として、基本組織（平編，ゴム編，パール編）やその変化組織を例示できる。また経編として、基本組織（デンビー編，コード編，アトラス編，鎖編）やその変化組織を例示できる。そして本実施例のシートカバー４Ｓにおいては、同様の手法によって、各表皮ピースＳＰ１〜ＳＰ３に対応する部位を形成できる。なお編物の構成糸である糸材Ｙ１の素材として、植物系及び動物系の天然繊維、熱可塑性樹脂又は熱硬化性樹脂からなる化学繊維及びこれらの混繊糸を例示できる。そして糸材Ｙ１として、紡績糸、フィラメント、延伸糸、嵩高加工された糸材（モール糸，タスラン加工糸，仮撚加工糸，カバリング糸等）などの各種糸材を使用できる。また糸材Ｙ１に、起毛処理や毛羽立ち処理を施して乗員に対するホールド性を向上させることもできる。
【００２４】
［低伸張部の形成作業］
図２を参照して、下部低伸張部２０Ｄの編地を、所定ループ長ＬＦの糸材Ｙ１のループで形成された編目ＲＦによって形成する。この下部低伸張部２０Ｄでは、編地を形成する編目ＲＦが、他の各部の中で最も短いループ長に設定されており、シートカバー４Ｓの中で面方向に最も伸びにくくされている。なお下部低伸張部２０Ｄにおけるコース方向Ｘ又はウェール方向Ｙにおける所定面積当たりの目数（編目の数）は、シートカバー４Ｓとしての強度を確保できる限り特に限定しない。
【００２５】
［高伸張部の形成作業］
また図３を参照して、下部高伸張部１０Ｄの編地を、ループ長ＬＡ（ＬＡ＞ＬＦ）の糸材Ｙ１のループで形成された大編目ＲＡによって形成する。この大編目ＲＡは、上述の編目ＲＦに比して長い糸材Ｙ１のループで形成されている。すなわち下部高伸張部１０Ｄを形成する大編目ＲＡが、他の各部の中で最も長いループ長に設定されており、シートカバー４Ｓの中で面方向に最も伸びやすくされている。なお下部高伸張部１０Ｄにおけるコース方向Ｘ又はウェール方向Ｙにおける所定面積当たりの目数も特に限定しない。
【００２６】
［中伸張部の形成作業］
そして下部中伸張部３０Ｄの編地を、大編目ＲＡと編目ＲＦの間のループ長に設定された中編目（図示省略）にて形成することができる。このとき下部中伸張部３０Ｄを比較的伸びにくくしたい場合には、ループ長ＬＦに近いループ長さで中編目を形成する。また下部中伸張部３０Ｄを比較的伸びやすくしたい場合には、ループ長ＬＡに近いループ長さで中編目を形成する。
【００２７】
［別例］
ここでシートカバー４Ｓの伸張性の差は、上述の構成のほか、各種の構成にて設けることができる。例えば各部において編物の密度を変更することができる。また図４を参照して、下部高伸張部１０Ｄに、通常の編地を構成するニット組織（符号省略）に比して伸びやすいタック組織ＴＲを相対的に多く形成することができる。このタック組織ＴＲは、糸材Ｙ１を、縦方向であるウェール方向Ｙに複数段飛ばしてループを作ることで形成できる。なお下部低伸張部や下部中伸張部には、下部高伸張部１０Ｄに比して少ないタック組織ＴＲが形成されていてもよく、タック組織ＴＲが形成されていなくともよい。またタック組織の代わりにミス（ウェルト）組織を適宜用いることもできる。
【００２８】
またシートカバー４Ｓの伸張性の差を、各部位における構成糸の種類を変更することで設けることもできる。例えば下部高伸張部１０Ｄの構成糸に多くの弾性糸を用いることで、下部高伸張部１０Ｄを相対的に伸びやすくすることができる。この弾性糸は、初期引張抵抗度４．９ＧＰａ以上（典型的に４．９ＧＰａ〜６００ＧＰａ）の線材であり、好ましくは同抵抗度５４ＧＰａ〜２８０ＧＰａの線材である。なお初期引張抵抗度は、ＪＩＳ  Ｌ  １０１３  ８．１０に基づいて測定できる。この種の弾性糸の材質は特に限定しないが、パラ系アラミド繊維、メタ系アラミド繊維、ポリアリレート繊維、ポリパラフェニレンベンゾビスオキシサゾール繊維、ポリフェニレンサルファイド繊維、ポリエーテルエーテルケトン繊維、ポリイミド繊維を例示できる。なお下部低伸張部２０Ｄや下部中伸張部３０Ｄは、下部高伸張部１０Ｄに比して少ない本数の弾性糸を有していてもよく、弾性糸を有していなくともよい。
【００２９】
［シートクッションの境界部］
シートクッション４の境界部４０Ｄは、図１を参照して、シートカバー４Ｓ中で隣り合う伸張性の異なる部同士の間に形成されている部位である。この境界部４０Ｄは、適宜の幅を持った一つなぎの帯状の部位であり、天板メイン部４ａと天板サイド部４ｂの適宜の位置で枝分かれしながら縦横に連続的に延設されている。すなわち左右の天板サイド部４ｂの境界部４０Ｄ部分は、下部高伸張部１０Ｄと下部低伸張部２０Ｄの間と、下部中伸張部３０Ｄと下部低伸張部２０Ｄの間に配置されてシート前後方向に延設されている。また天板メイン部４ａの境界部４０Ｄ部分は、下部高伸張部１０Ｄと下部中伸張部３０Ｄの間に配置されてシート幅方向に延設されており、その左右端が、左右の天板サイド部４ｂの境界部４０Ｄ部分につながっている。ここで境界部４０Ｄの基本的な構成は、隣り合う部同士の種類が異なっていても実質的に同一である。そこで以下に、専ら右側の天板サイド部４ｂにおいて下部高伸張部１０Ｄと下部低伸張部２０Ｄの間に配置された境界部４０Ｄ部分を一例にその詳細を説明する。
【００３０】
右側の天板サイド部４ｂの境界部４０Ｄは、シートカバー４Ｓの第二表皮ピースＳＰ２に形成されており、シート前後方向に延設されている。この境界部４０Ｄは、図５を参照して、複数の突出高伸張部１１Ｄ〜１４Ｄと、複数の突出低伸張部２１Ｄ〜２４Ｄで構成されている（図５では、便宜上、境界部を構成する突出高伸張部と突出低伸張部の一部のみ図示する）。また境界部４０Ｄの左縁Ｘ１は下部高伸張部１０Ｄに隣接しており、境界部４０Ｄの右縁Ｘ２は下部低伸張部２０Ｄに隣接している。
【００３１】
そして複数の突出高伸張部１１Ｄ〜１４Ｄは、それぞれ下部高伸張部１０Ｄの一部が境界部４０Ｄに突出している部分であり、シート後方から前方に向けて順次配置されている。この境界部４０Ｄに設けられた突出高伸張部１１Ｄ〜１４Ｄは略同形同寸であり、いずれも上面視で略三角形状をなしている。例えば突出高伸張部１２Ｄは、最も前後方向の寸法Ｌ１が大きい底辺で左側の下部高伸張部１０Ｄにつながっている。そして突出高伸張部１２Ｄは、頂点の配置されている右縁Ｘ２側の下部低伸張部２０Ｄに向かうにつれて次第にその面積が狭くなって狭小とされている。
【００３２】
また複数の突出低伸張部２１Ｄ〜２４Ｄは、それぞれ下部低伸張部２０Ｄの一部が境界部４０Ｄに突出している部分であり、シート後方から前方に向けて順次配置されている。この境界部４０Ｄに設けられた突出低伸張部２１Ｄ〜２４Ｄは略同形同寸とされているとともに、突出高伸張部と左右対称をなすようにいずれも上面視で略逆三角形状をなしている。例えば突出低伸張部２２Ｄは、最も前後方向の寸法Ｌ２（Ｌ２＝Ｌ１）が大きい底辺で右側の下部低伸張部２０Ｄにつながっている。そして突出低伸張部２２Ｄは、頂点の配置されている左縁Ｘ１側の下部高伸張部１０Ｄに向かうにつれて次第にその面積が狭くなって狭小とされている。
【００３３】
そして境界部４０Ｄにおいては、境界部４０Ｄの延設方向であるシート前後方向において、突出高伸張部と突出低伸張部が切れ目なく交互に配置されている。この境界部４０Ｄでは、突出高伸張部１１Ｄ〜１４Ｄと突出低伸張部２１Ｄ〜２４Ｄの境が、上方視において三角波状をなすように形成されている。そして特定の突出高伸張部（１１Ｄ〜１４Ｄのいずれか）の前後には対応する突出低伸張部が隣接配置されている。例えば突出高伸張部１２Ｄの後方には突出低伸張部２２Ｄが隣接配置され、突出高伸張部１２Ｄの前方にも別の突出低伸張部２３Ｄが隣接配置されている。また同様に特定の突出低伸張部（２１Ｄ〜２４Ｄのいずれか）の前後にも対応する突出高伸張部が配置されている。例えば突出低伸張部２２Ｄの後方には突出高伸張部１１Ｄが隣接配置され、突出低伸張部２２Ｄの前方にも突出高伸張部１２Ｄが隣接配置されている。こうして境界部４０Ｄでは、各突出高伸張部１１Ｄ〜１４Ｄと各突出低伸張部２１Ｄ〜２４Ｄが交互に配置されることで、これら両部の伸張性の違いが極力曖昧な状態とされている。そして第二表皮ピースＳＰ２をなす編物では、各部１０Ｄ，２０Ｄを連続して形成するに際して、境界部４０Ｄにおける各突出高伸張部１１Ｄ〜１４Ｄと各突出低伸張部２１Ｄ〜２４Ｄをも連続して形成できる。このため境界部４０Ｄにおいては、各突出高伸張部１１Ｄ〜１４Ｄと各突出低伸張部２１Ｄ〜２４Ｄが、縫合等されることなく（継ぎ目なく）連続的に形成されている。
【００３４】
［変形例１］
ここで境界部の構成は、上述の構成のほか、各種の構成を取り得る。例えば図６を参照して、変形例１の境界部４１Ｄでは、突出高伸張部１１Ｄ〜１３Ｄと突出低伸張部２１Ｄ〜２３Ｄの境が上方視において波状をなすように形成されている。そして各突出高伸張部１１Ｄ〜１３Ｄは、それぞれ上面視で右側に凸の凸曲線状をなしており、左側から右側に向かうにつれて次第にその面積が狭くなって狭小とされている。また各突出低伸張部２１Ｄ〜２３Ｄも、それぞれ上面視で左側に凸の凸曲線状をなしており、右側から左側に向かうにつれて次第にその面積が狭くなって狭小とされている。こうして本変形例の境界部４１Ｄでも、突出高伸張部１１Ｄ〜１３Ｄと突出低伸張部２１Ｄ〜２３Ｄが交互に配置されることで、これら両部の伸張性の違いが極力曖昧な状態とされている。
【００３５】
［変形例２］
また変形例２の境界部４２Ｄでは、突出高伸張部１１Ｄ〜１４Ｄと突出低伸張部２１Ｄ〜２４Ｄの境が、上方視において先端側が三角波状とされた矩形波をなすように形成されている。そして各突出高伸張部１１Ｄ〜１４Ｄは、それぞれ上面視で右側が三角状とされたホームベース状をなしており、三角状の先端においては左側から右側に向かうにつれて次第にその面積が狭くなって狭小とされている。また各突出低伸張部２１Ｄ〜２４Ｄも、それぞれ上面視で左側が三角状とされたホームベース状をなしており、三角状の先端においては右側から左側に向かうにつれて次第にその面積が狭くなって狭小とされている。こうして本変形例の境界部４２Ｄでも、突出高伸張部１１Ｄ〜１４Ｄと突出低伸張部２１Ｄ〜２４Ｄが交互に配置されることで、これら両部の伸張性の違いが極力曖昧な状態とされている。
【００３６】
［変形例３］
また変形例３の境界部４３Ｄでは、突出高伸張部１１Ｄ〜１４Ｄと突出低伸張部２１Ｄ〜２３Ｄの境が、上方視において矩形波をなすように形成されている。そして各突出高伸張部１１Ｄ〜１４Ｄは、それぞれ上面視で略矩形状をなしており、左側から右側にかけての前後の寸法が同一である。また各突出低伸張部２１Ｄ〜２３Ｄも、それぞれ上面視で略矩形状をなしており、左側から右側にかけての前後の寸法が同一である。こうして本変形例の境界部４３Ｄでも、突出高伸張部１１Ｄ〜１４Ｄと突出低伸張部２１Ｄ〜２４Ｄが交互に配置されることで、これら両部の伸張性の違いが極力曖昧な状態とされている。
【００３７】
ところで下部中伸張部３０Ｄに隣接する境界部４０Ｄ部分も、上述の下部高伸張部１０Ｄと下部低伸張部２０Ｄの間に配置された境界部４０Ｄ部分と略同一の基本構成を有している。例えば天板サイド部４ｂの境界部４０Ｄ部分では、境界部４０Ｄの延設方向であるシート前後方向において、突出低伸張部と図示しない突出中伸張部が切れ目なく交互に配置されている。この突出中伸張部は、下部中伸張部３０Ｄの一部が境界部４０Ｄに突出している部分であり、上述の突出高伸張部又は突出低伸張部と略同一構成を有している。また同様に天板メイン部４ａの境界部４０Ｄ部分では、境界部４０Ｄの延設方向であるシート幅方向において、突出高伸張部と図示しない突出中伸張部が切れ目なく交互に配置されている。こうして境界部４０Ｄでは、各突出高伸張部（又は各突出低伸張部）と突出中伸張部が交互に配置されることで、これら両部の伸張性の違いが極力曖昧な状態とされている。
【００３８】
［シートクッションの使用］
図１を参照して、乗物用シート２に乗員が着座することにより、シートクッション４にて乗員脚部から乗員臀部にかけての部分が支持される。そしてシートの着座性向上の観点等から、シートカバー４Ｓの伸び特性を部分的に異ならせている。この種の構成においては、シートカバー４Ｓの伸張性が高伸張部１０Ｄと低伸張部２０Ｄの境で明確に違ってしまうなどして、乗員が違和感を覚えるおそれがある。
【００３９】
そこで本実施例では、境界部４０Ｄ等に、境界部４０Ｄ等の延設方向において各突出高伸張部１１Ｄ〜１４Ｄと各突出低伸張部２１Ｄ〜２４Ｄを交互に配置することとした。このように境界部４０Ｄ等において、各突出高伸張部１１Ｄ〜１４Ｄと各突出低伸張部２１Ｄ〜２４Ｄを境界部４０Ｄに交互に配置して、これら両部の伸張性の違いを曖昧とすることにより、明確な伸張性の違いが原因となる違和感の発生を極力回避することができる。特に境界部４０Ｄ，４１Ｄ，４２Ｄでは、各突出高伸張部１１Ｄ〜１４Ｄが下部低伸張部２０Ｄに近づくにつれて狭小化され、各突出低伸張部２１Ｄ〜２４Ｄも下部高伸張部１０Ｄに近づくにつれて狭小化されている。このため下部高伸張部１０Ｄ（下部低伸張部２０Ｄ）との境である境界部４０Ｄ，４１Ｄ，４２Ｄの左縁Ｘ１（右縁Ｘ２）においても伸張性の違いを感じにくい構成とされている。
【００４０】
こうして本実施例では、境界部４０Ｄによって、下部高伸張部１０Ｄと下部低伸張部２０Ｄの境における伸張性の違いを曖昧としつつ、シートカバー４Ｓの伸び特性を部分的に異ならせている。そしてシートクッション４に乗員が着座することにより、乗員脚部（例えば脹脛）が、天板メイン部４ａ前端に設けられた下部高伸張部１０Ｄに当接する。このとき図５に示す下部高伸張部１０Ｄが最も伸びやすいことから、乗員脚部をスムーズに動かしてアクセルやブレーキやクラッチを操作することが可能となり、乗物の操作性を向上させることができる。さらに左右の天板サイド部４ｂに設けられた下部高伸張部１０Ｄによって乗員の体格差を吸収することができる。すなわち比較的大柄の乗員が着座した場合、乗員脚部が、左右の天板サイド部４ｂを外側に押し退けようとする。このとき天板サイド部４ｂの内側に配置する下部高伸張部１０Ｄが外側に向けて大きく伸張することとなる。またカーブ走行時においては、左右の天板サイド部４ｂによって乗員側部を支持する。このとき天板サイド部４ｂに設けられた下部低伸張部２０Ｄが最も伸張しにくいことから、旋回時の乗員側部をしっかりと支持できる。そして乗員臀部が、天板メイン部４ａの後部側に設けられた下部中伸張部３０Ｄを強く押圧する。このとき下部中伸張部３０Ｄが適度な伸張性を有して乗員臀部を包み込むようにフィットすることで、乗員臀部の前滑りなどの意図しない移動を好適に回避できる。
【００４１】
［シートバック］
つぎに図１を参照して、シートバック６のシートカバー６Ｓについて詳述する。このシートカバー６Ｓには、上部高伸張部１０Ｕと、上部低伸張部２０Ｕと、上部中伸張部３０Ｕが設けられている。そしてシートバック６の上部において、境界部４０Ｕが、シートカバー６Ｓ中で隣り合う伸張性の異なる部同士の間に形成されている。またシートバック６の下部において、別の境界部４１Ｕが、シートカバー６Ｓ中で隣り合う伸張性の異なる部同士の間に形成されている。このシートバック６に設けられている各境界部４０Ｕ，４１Ｕの基本構成は、シートクッション４の境界部４０Ｄと略同一であることから詳細な説明は省略する。そこで以下に、各シートカバー６Ｓの各部１０Ｕ，２０Ｕ，３０Ｕと、各境界部４０Ｕ，４１Ｕの配置位置について専ら詳述することとする。
【００４２】
［シートバックの高伸張部］
シートバック６の上部高伸張部１０Ｕは、図１を参照して、シート幅方向で見た中央上部に設けられており、着座状態の乗員肩部や乗員頭部が当接するシートカバー６Ｓ部分に配置されている。この上部高伸張部１０Ｕは、シートカバー６Ｓにおいて面方向である上下方向に最も伸びやすい部位であり、下部高伸張部１０Ｄと同様の伸び特性を有し且つ下部高伸張部１０Ｄと同様の手法で形成できる。そして上部高伸張部１０Ｕは、正面視でシート上下に長尺な略矩形状をなしており、その下辺が、中央に向かうにつれて次第に上方に凸の湾曲形状をなしている。この上部高伸張部１０Ｕは、シートバック６の上下方向の中央から一対の孔部Ｈを越えてヘッドレスト８の上端に延びている。また上部高伸張部１０Ｕの左右の幅寸法は、下方から上方に向かうにつれて次第に左右に張り出して幅広となっており、さらに一対の孔部Ｈの手前で引締められて幅狭とされている。そして上部高伸張部１０Ｕの左右に張り出している上部分に着座状態の乗員の肩甲骨が当接することとなる。またヘッドレスト８部分における上部高伸張部１０Ｕの幅寸法は、着座状態時の乗員頭部を支持可能な寸法に設定されており、シートバック６の上部高伸張部１０Ｕに比してやや幅狭である。
【００４３】
また上部高伸張部１０Ｕの下辺には上部中伸張部３０Ｕを隣接して設けることができる。この上部中伸張部３０Ｕは、上部高伸張部１０Ｕに連なる略矩形状の部位であり、上辺が上方に凸の湾曲形状をなしているとともに、下方に向かうにつれて次第に引締められている。そして上部中伸張部３０Ｕは、下部中伸張部３０Ｄと同様の伸び特性を有し且つ同様の手法で形成できる。また本実施例においては、シートバック６の下端に別の上部中伸張部３１Ｕが設けられている。この別の上部中伸張部３１Ｕは、シートクッション４の下部中伸張部３０Ｄに隣接して配置されている。
【００４４】
［シートバックの低伸張部］
そしてシートカバー６Ｓには、上部高伸張部１０Ｕと上部中伸張部３０Ｕ，３１Ｕを除く部分に、上部低伸張部２０Ｕを設けることができる。この上部低伸張部２０Ｕは、シートカバー６Ｓにおいて最も面方向に伸張しにくい部位であり、下部低伸張部２０Ｄと同様の伸び特性を有し且つ下部低伸張部２０Ｄと同様の手法で形成できる。そして上部低伸張部２０Ｕは、左右の天板サイド部６ｂから天板メイン部６ａ側に若干ははみ出して設けられている。さらに上部低伸張部２０Ｕの一部が、天板メイン部６ａの下部を横断するように設けられており、乗員の骨盤に対面可能な位置に配置されている。この上部低伸張部２０Ｕの一部は、上部中伸張部３０Ｕと別の上部中伸張部３１Ｕの間に配置されており、下方に凸の緩やかな曲線状をなして左右に延びている。
【００４５】
［シートバックの境界部］
そしてシートバック６の上部に形成された境界部４０Ｕは、適宜の幅を持った一つなぎの帯状の部位であり、天板メイン部６ａの適宜の位置で枝分かれしながら縦横に連続的に延設されている。すなわち左右の上部低伸張部２０Ｕと上部高伸張部１０Ｕの間に配置されている境界部４０Ｕ部分がシート上下方向に延設されている。さらに上部高伸張部１０Ｕと上部中伸張部３０Ｕの間に配置されている境界部４０Ｕ部分がシート幅方向に延設されている。またシートバック６の下部に形成された別の境界部４１Ｕは、略逆Ｕ字状をなすように延設されて、上部低伸張部２０Ｕと別の上部中伸張部３１Ｕの間に配置されている。そして各境界部４０Ｕ，４１Ｕにおいても、これらの延設方向において突出高伸張部と突出低伸張部が交互に配置されている。そしてシートバック６においても、図示しない突出高伸張部と突出低伸張部と突出中伸張部が各境界部４０Ｕ，４１Ｕに交互に適宜配置されている。こうして各境界部４０Ｕ，４１Ｕにおいて伸張性の違いを曖昧とすることにより、明確な伸張性の違いが原因となる違和感の発生を極力回避することができる。
【００４６】
［シートバックの使用］
図１を参照して、シートバック６に乗員が凭れることにより、乗員背部が、天板メイン部６ａの中央上部に当接する。このとき天板メイン部６ａの中央上部に設けられた上部高伸張部１０Ｕが大きく伸長して乗員にフィットすることから、着座性に優れるシート構成となる。さらに上部高伸張部１０Ｕの左右に張り出している上部分が大きく伸張して乗員の肩甲骨を包みこむように支持することとなる。また天板メイン部６ａの下部が乗員の骨盤によって強く押圧される。このとき天板メイン部６ａ下部を横断するように配置された上部低伸張部２０Ｕの一部によって、乗員の骨盤の押圧をしっかりと受け止めることで、乗員に対する支持性能が向上して運転姿勢を安定化することができる。さらに左右の天板サイド部６ｂに設けられた上部低伸張部２０Ｕ部分によって、旋回時の乗員側部をしっかりと支持できる。
【００４７】
以上説明したとおり本実施例では、突出高伸張部１１Ｄ〜１４Ｄと突出低伸張部２１Ｄ〜２４Ｄを境界部４０Ｄ等に交互に配置して、これら両部の伸張性の違いを曖昧とすることにより、明確な伸張性の違いが原因となる違和感の発生を極力回避することができる。さらに境界部４０Ｄ等において、突出高伸張部の両隣に突出低伸張部が配置されている又は突出低伸張部の両隣に突出高伸張部が配置されているため、境界部４０Ｄ等において明確な伸張性の違いを更に感じにくい構成とされている。また境界部４０Ｄ等に設けられた各部１１Ｄ〜１４Ｄ，２１Ｄ〜２４Ｄを適宜の位置で狭小化することにより、隣接する高伸張部１０Ｄ（１０Ｕ）及び低伸張部２０Ｄ（２０Ｕ）との境である境界部４０Ｄ等の縁Ｘ１，Ｘ２においても伸張性の違いを感じにくい構成とされている。そして本実施例においては、一枚物の面材で各部１０Ｄ，２０Ｄ，４０Ｄ等（１０Ｕ，２０Ｕ，４０Ｕ等）が構成されているため、異なる面材で各部が構成されている場合に比して、各シートカバー４Ｓ，６Ｓの構成をシンプル化することができる。このとき面材が編物であるため、高伸張部１０Ｄ（１０Ｕ）と低伸張部２０Ｄ（２０Ｕ）に伸張性の差を明確に設けることができ、さらに境界部４０Ｄ等において伸張性の違いを極力感じにくい構成とされている。このため本実施例によれば、各シートカバー４Ｓ，６Ｓの伸張性を、違和感を極力生じさせることなく部分的に変更することができる。
【００４８】
本実施形態の乗物用シートのシートカバーは、上述した実施形態に限定されるものではなく、その他各種の実施形態を取り得る。本実施形態では、境界部４０Ｄ等の構成（形状，寸法，形成位置，形成数など）を例示したが、同部の構成を限定する趣旨ではない。例えば境界部における高伸張部と低伸張部を、隣接する高伸張部と低伸張部とは独立に形成することもできる。この場合には境界部を格子状に区画するとともに、各区画に、高伸張部と低伸張部を交互に配置することができる。また実施例１の構成と各変形例の構成を適宜組み合わせて境界部を構成することができる。また境界部は、高伸張部と低伸張部の間にのみ形成することができる。また境界部は、高伸張部と中伸張部の間にのみ形成することができ、この場合には中伸張部が、相対的に伸びにくいことから本発明の低伸張部とみなすことができる。また同様に境界部は、低伸張部と中伸張部の間にのみ形成することができ、この場合には中伸張部が、相対的に伸びやすいことから本発明の高伸張部とみなすことができる。また高伸張部と低伸張部の間に、帯状又は線状の境界部が連続的に形成されていてもよく、ドット状の境界部が断続的（不連続的）に形成されていてもよい。
【００４９】
また本実施形態では、境界部４０Ｄ等に、複数の突出高伸張部１１Ｄ〜１４Ｄと複数の突出低伸張部２１Ｄ〜２４Ｄを設ける例を説明した。境界部においては、単数の突出高伸張部と単数の突出低伸張部を交互に設けることができる。また境界部において、単数の突出高伸張部の両隣に突出低伸張部を設けることができ、また逆に単数の突出低伸張部の両隣に突出高伸張部を設けることもできる。
【００５０】
また本実施形態では、シートカバー４Ｓ，６Ｓの構成（形状，寸法，表皮ピースの数，構成糸など）を例示したが、各シートカバーの構成を限定する趣旨ではない。例えばシートクッションのシートカバーを一枚物の面材で構成することができ、シートバックのシートカバーを複数の表皮ピースを縫合することで形成できる。またシートクッションとシートバックの双方を一つなぎのシートカバーで被覆することもでき、この場合のシートカバーは、一枚物の面材で構成することができ、また複数の表皮ピースを縫合することでも形成できる。なおシートカバーとして、編物のほか、伸張性の違いを出すことのできる各種の面材（織物や不織布等）を使用することができ、これら編物を含む各種の面材を適宜組み合わせて用いることもできる。そして種類の異なる面材を用いる場合には、境界部において、突出高伸張部と突出低伸張部をこれらの境で縫合や接着等の手法でつなげることができる。また本実施形態においては、シートクッションにおいて、シート前後方向における伸張性に差を設けたが、シート左右方向における伸張性に差を設けることもできる。また同様にシートバックにおいて、シート上下方向における伸張性に差を設けたが、シート左右方向における伸張性に差を設けることもできる。
【００５１】
また本実施形態では、シートクッション４とシートバック６（ヘッドレスト８）を一例に説明したが、本実施形態の構成は、アームレスト等の各種シート構成部材のシートカバーに適用できる。なお乗物用シートの構成も適宜変更可能であり、例えばシートバックとヘッドレストを別体で構成することができる。また本実施形態の構成は、乗物用や航空機や電車などの乗物用シート全般に適用できる。
【符号の説明】
【００５２】
２     乗物用シート
４     シートクッション
６     シートバック
４Ｆ，６Ｆ    シートフレーム
４Ｐ，６Ｐ    シートパッド
４Ｓ，６Ｓ    シートカバー
ＳＰ１〜ＳＰ３  表皮ピース
４ａ，６ａ  天板メイン部
４ｂ，６ｂ  天板サイド部
１０Ｄ 下部高伸張部
２０Ｄ 下部低伸張部
３０Ｄ 下部中伸張部
４０Ｄ （シートクッションの）境界部
１１Ｄ〜１４Ｄ  突出高伸張部（本発明の境界部の高伸張部）
２１Ｄ〜２４Ｄ  突出低伸張部（本発明の境界部の低伸張部）
１０Ｕ 上部高伸張部
２０Ｕ 上部低伸張部
３０Ｕ，３１Ｕ  上部中伸張部
４０Ｕ，４１Ｕ  （シートバックの）境界部
【図１】
2017206089.tif 000003
【図２】
2017206089.tif 000004
【図３】
2017206089.tif 000005
【図４】
2017206089.tif 000006
【図５】
2017206089.tif 000007
【図６】
2017206089.tif 000008
【図７】
2017206089.tif 000009
【図８】
2017206089.tif 000010